(57)【要約】【課題】原稿が重なった状態で給送される虞を低減できる画像読取装置、給送方法を提供する。【解決手段】原稿Ｄを給送する給送部１８と、給送部１８により給送された原稿Ｄを検出可能な給送検出部３２と、搬送路１７を搬送される原稿Ｄを検出可能な搬送検出部３３と、搬送される原稿Ｄの画像を読み取る読取部２４と、給送部１８の駆動を制御する制御部３５とを備え、給送検出部３２と搬送検出部３３は、原稿Ｄを検出した検出信号と原稿Ｄを検出しない非検出信号とを出力し、制御部３５は、給送検出部３２が検出信号を出力してから搬送検出部３３が検出信号を出力するまでの間に、給送検出部３２が非検出信号を出力した出力回数が１回以下の場合には、搬送検出部３３が検出信号を出力したあと給送検出部３２が非検出信号を出力すると給送部１８を駆動し、出力回数が２回以上の場合には、搬送検出部３３が非検出信号を出力すると給送部１８を駆動する。【選択図】図１
2018006854.tif 000002
【特許請求の範囲】
【請求項１】
原稿を載置可能な載置部から搬送路に向かって前記原稿を給送する給送部と、
該給送部により給送された前記原稿を検出可能な給送検出部と、
前記搬送路を搬送方向の上流側から下流側に向かって搬送される前記原稿を検出可能な搬送検出部と、
搬送される前記原稿の画像を読み取る読取部と、
前記給送部の駆動を制御する制御部と
を備え、
前記給送検出部と前記搬送検出部は、前記原稿を検出した検出信号と前記原稿を検出しない非検出信号とを出力し、
前記制御部は、前記給送検出部が前記検出信号を出力してから前記搬送検出部が前記検出信号を出力するまでの間に、前記給送検出部が前記非検出信号を出力した出力回数が１回以下の場合には、前記搬送検出部が前記検出信号を出力したあと前記給送検出部が前記非検出信号を出力すると前記給送部を駆動し、前記出力回数が２回以上の場合には、前記搬送検出部が前記非検出信号を出力すると前記給送部を駆動することを特徴とする画像読取装置。
【請求項２】
前記給送検出部は、前記搬送方向と交差する幅方向において前記搬送路の中央とは異なる位置に設けられることを特徴とする請求項１に記載の画像読取装置。
【請求項３】
前記給送検出部は、光を放つ発光部と該発光部から放たれた前記光を受ける受光部とを有し、
前記搬送検出部は、前記原稿と接触する接触部を有する
ことを特徴とする請求項１又は請求項２に記載の画像読取装置。
【請求項４】
前記給送検出部と前記搬送検出部は、前記搬送方向と交差する幅方向において異なる位置に設けられることを特徴とする請求項１〜請求項３のうち何れか一項に記載の画像読取装置。
【請求項５】
前記給送検出部は、前記搬送方向と交差する幅方向において前記搬送路の中央から３５ｍｍ以上且つ４０ｍｍ以下の位置に設けられることを特徴とする請求項１〜請求項４のうち何れか一項に記載の画像読取装置。
【請求項６】
原稿を載置可能な載置部から搬送路に向かって前記原稿を給送する給送部と、
該給送部により給送された前記原稿を検出可能な給送検出部と、
前記搬送路を搬送方向の上流側から下流側に向かって搬送される前記原稿を検出可能な搬送検出部と、
搬送される前記原稿の画像を読み取る読取部と、
を備え、
前記給送検出部と前記搬送検出部は、前記原稿を検出した検出信号と前記原稿を検出しない非検出信号とを出力する画像読取装置における給送方法であって、
前記給送部により前記原稿を給送させる第１給送工程と、
前記給送検出部から出力された前記検出信号を取得する給送信号取得工程と、
前記搬送検出部から出力された前記検出信号を取得する搬送信号取得工程と、
前記給送部により次の前記原稿を給送させる第２給送工程と
を含み、
前記給送信号取得工程から前記搬送信号取得工程までの間に前記給送検出部から前記非検出信号が出力された出力回数が１回以下の場合には、前記搬送信号取得工程のあと前記給送検出部から前記非検出信号が出力されると前記第２給送工程を開始し、前記出力回数が２回以上の場合には、前記搬送検出部から前記非検出信号が出力されると前記第２給送工程を開始することを特徴とする給送方法。
【発明の詳細な説明】
【技術分野】
【０００１】
本発明は、原稿の画像を読み取るスキャナーなどの画像読取装置、画像読取装置における給送方法に関する。
【背景技術】
【０００２】
従来から原稿トレイ（載置部）に載置された原稿を搬送路に給送するピックアップローラと、給送された原稿の画像を読み取る読取部とを備えた画像読取装置が知られている（例えば特許文献１）。
【０００３】
こうした画像読取装置では、原稿検知センサを読取部の近傍に設け、原稿検知センサが原稿の先端を検知したことをトリガーとして読取部に読取を開始させ、原稿検知センサが原稿の後端を検知したことをトリガーとして次の原稿を給送させていた。
【先行技術文献】
【特許文献】
【０００４】
【特許文献１】特開２０１５−１９５４４２号公報
【発明の概要】
【発明が解決しようとする課題】
【０００５】
ところで、原稿には、原稿同士をとじるためのパンチ穴とも呼ばれるとじ穴が形成されていることがある。そのため、画像読取装置では、とじ穴を原稿の後端だと誤検知して次の原稿を給送してしまうことがあった。
【０００６】
本発明は、こうした実情に鑑みてなされたものであり、その目的は、原稿が重なった状態で給送される虞を低減できる画像読取装置、給送方法を提供することにある。
【課題を解決するための手段】
【０００７】
以下、上記課題を解決するための手段及びその作用効果について記載する。
上記課題を解決する画像読取装置は、原稿を載置可能な載置部から搬送路に向かって前記原稿を給送する給送部と、該給送部により給送された前記原稿を検出可能な給送検出部と、前記搬送路を搬送方向の上流側から下流側に向かって搬送される前記原稿を検出可能な搬送検出部と、搬送される前記原稿の画像を読み取る読取部と、前記給送部の駆動を制御する制御部とを備え、前記給送検出部と前記搬送検出部は、前記原稿を検出した検出信号と前記原稿を検出しない非検出信号とを出力し、前記制御部は、前記給送検出部が前記検出信号を出力してから前記搬送検出部が前記検出信号を出力するまでの間に、前記給送検出部が前記非検出信号を出力した出力回数が１回以下の場合には、前記搬送検出部が前記検出信号を出力したあと前記給送検出部が前記非検出信号を出力すると前記給送部を駆動し、前記出力回数が２回以上の場合には、前記搬送検出部が前記非検出信号を出力すると前記給送部を駆動する。
【０００８】
原稿には、例えばルーズリーフや手帳のリフィルのように、複数の穴が列をなして形成されているものがある。そして、穴が給送検出部を通過すると、給送検出部からは原稿を検出しない非検出信号が出力される。そのため、例えば穴の列と搬送方向とを一致させて給送する場合には、給送検出部は非検出信号を２回以上出力する可能性がある。また、例えば穴の列と搬送方向とを直交させて原稿を給送する場合には、給送検出部が出力する非検出信号は１回以下となる。そして、この構成によれば、制御部は、非検出信号の出力回数に基づいて給送部の駆動を制御する。すなわち、給送検出部が非検出信号を複数回出力し、原稿に形成された穴を原稿の後端だと誤検出する可能性が高い場合には、制御部は、搬送検出部が非検出信号を出力すると給送部を駆動する。そのため、原稿が重なった状態で給送される虞を低減できる。
【０００９】
上記画像読取装置において、前記給送検出部は、前記搬送方向と交差する幅方向において前記搬送路の中央とは異なる位置に設けられることが好ましい。
原稿の穴は、原稿の縁に形成されることが多い。そして、この構成によれば、給送検出部は幅方向において中央とは異なる位置に設けられているため、給送検出部を幅方向の中央に設ける場合に比べ、給送検出部が原稿の穴を検出する確率を高めることができる。
【００１０】
上記画像読取装置において、前記給送検出部は、光を放つ発光部と該発光部から放たれた前記光を受ける受光部とを有し、前記搬送検出部は、前記原稿と接触する接触部を有することが好ましい。
【００１１】
この構成によれば、発光部と受光部とを有する給送検出部と、接触部を有する搬送検出部は、それぞれ異なる方式で原稿を検出する。そのため、給送検出部と搬送検出部の双方の検出部が、原稿に形成された穴を原稿の後端だと誤検出してしまう虞を低減できる。
【００１２】
上記画像読取装置において、前記給送検出部と前記搬送検出部は、前記搬送方向と交差する幅方向において異なる位置に設けられることが好ましい。
この構成によれば、給送検出部と搬送検出部は、幅方向において異なる位置に設けられる。そのため、穴の列と搬送方向とを一致させて原稿を給送し、給送検出部が複数の穴を検出した場合には、搬送検出部は穴を検出しない。したがって、搬送検出部の検出結果に基づいて次の原稿を給送することで、原稿が重なった状態で給送される虞を低減できる。
【００１３】
上記画像読取装置において、前記給送検出部は、前記搬送方向と交差する幅方向において前記搬送路の中央から３５ｍｍ以上且つ４０ｍｍ以下の位置に設けられることが好ましい。
【００１４】
所謂バイブルサイズの原稿には、リングに通すための穴が長辺に沿って形成されている場合がある。そして、この構成によれば、給送検出部は、バイブルサイズの原稿に形成された穴が通過する位置に設けられているため、給送検出部によって原稿に形成された穴を検出できる。
【００１５】
上記課題を解決する給送方法は、原稿を載置可能な載置部から搬送路に向かって前記原稿を給送する給送部と、該給送部により給送された前記原稿を検出可能な給送検出部と、前記搬送路を搬送方向の上流側から下流側に向かって搬送される前記原稿を検出可能な搬送検出部と、搬送される前記原稿の画像を読み取る読取部と、を備え、前記給送検出部と前記搬送検出部は、前記原稿を検出した検出信号と前記原稿を検出しない非検出信号とを出力する画像読取装置における給送方法であって、前記給送部により前記原稿を給送させる第１給送工程と、前記給送検出部から出力された前記検出信号を取得する給送信号取得工程と、前記搬送検出部から出力された前記検出信号を取得する搬送信号取得工程と、前記給送部により次の前記原稿を給送させる第２給送工程とを含み、前記給送信号取得工程から前記搬送信号取得工程までの間に前記給送検出部から前記非検出信号が出力された出力回数が１回以下の場合には、前記搬送信号取得工程のあと前記給送検出部から前記非検出信号が出力されると前記第２給送工程を開始し、前記出力回数が２回以上の場合には、前記搬送検出部から前記非検出信号が出力されると前記第２給送工程を開始する。
【００１６】
この構成によれば、上記画像読取装置と同様の効果を奏し得る。
【図面の簡単な説明】
【００１７】
【図１】画像読取装置の一実施形態の模式図。
【図２】本体部の模式平面図。
【図３】バイブルサイズの原稿の模式図。
【図４】原稿と給送検出部の模式図。
【図５】原稿と給送検出部の模式図。
【図６】制御部のブロック図。
【図７】原稿の模式断面図と受光部の受光量を示すグラフ。
【図８】画像読取処理ルーチンのフローチャート。
【発明を実施するための形態】
【００１８】
以下、画像読取装置の一実施形態について、図を参照して説明する。なお、本実施形態の画像読取装置は、例えば搬送される原稿の画像を、固定された読取部が読み取るシートフィードスキャナーである。
【００１９】
図１に示すように、画像読取装置１１は、側面視が略台形箱状の本体部１２と、本体部１２に設けられた軸１３を中心として回動可能な回動部１４とを備えている。すなわち、回動部１４は、図１に実線で示す閉位置と、図１に二点鎖線で示す開位置との間で回動する。
【００２０】
また、画像読取装置１１は、複数の原稿Ｄを積層した状態で載置可能な載置部１６と、載置部１６から図１に一点鎖線で示す搬送路１７に向かって原稿Ｄを給送する給送部１８とを備えている。この給送部１８は、原稿Ｄを給送する給送ローラー１９と、給送ローラー１９により給送される原稿Ｄとの間に摩擦力を生じさせる摩擦力付与部２０とを有している。なお、本実施形態の摩擦力付与部２０は、原稿Ｄに接触した状態で回転して原稿Ｄ同士を分離させる分離ローラーである。
【００２１】
さらに、給送部１８よりも搬送方向Ｙの下流側の位置には、給送部１８により給送された原稿Ｄを搬送方向Ｙの上流側から下流側に搬送する搬送部２１が設けられている。搬送部２１は、原稿Ｄを搬送する搬送ローラー２２と、搬送ローラー２２の回転に伴って従動回転する搬送従動ローラー２３とを有している。なお、搬送ローラー２２と搬送従動ローラー２３は、搬送路１７を挟むように設けられている。
【００２２】
そして、搬送部２１よりも搬送方向Ｙの下流側の位置には、搬送される原稿Ｄの画像を読み取る少なくとも１つ（本実施形態では一対）の読取部２４が搬送路１７の両側に主走査方向（幅方向Ｘ）に延びるように設けられている。
【００２３】
すなわち、本体部１２に設けられた読取部２４は、搬送路１７を搬送方向Ｙの上流側から下流側に向かって搬送される原稿Ｄの第１面（例えば表面）の画像を読み取る。また、回動部１４に設けられた読取部２４は、搬送路１７を搬送方向Ｙの上流側から下流側に向かって搬送される原稿Ｄの第２面（例えば裏面）の画像を読み取る。
【００２４】
そして、読取部２４よりも搬送方向Ｙの下流側には、本体部１２から原稿Ｄを排出させる排出ローラー２５と、排出ローラー２５の回転に伴って従動回転する排出従動ローラー２６と、原稿Ｄが排出される排出部２７とが設けられている。
【００２５】
さらに、画像読取装置１１は、給送ローラー１９を回転させるための駆動源である給送モーター２８と、搬送ローラー２２を回転させるための駆動源である搬送モーター２９とを備えている。なお、搬送モーター２９は、摩擦力付与部２０と排出ローラー２５にも接続されており、摩擦力付与部２０及び排出ローラー２５も回転させる。
【００２６】
また、給送ローラー１９、搬送ローラー２２、排出ローラー２５は、給送モーター２８及び搬送モーター２９の駆動に伴って原稿Ｄを搬送方向Ｙの上流側から下流側に搬送するように正転回転する。そして、摩擦力付与部２０は、搬送モーター２９の駆動に伴って原稿Ｄに搬送方向Ｙとは反対の方向に摩擦力を与えるように逆転回転する。
【００２７】
そして、画像読取装置１１は、載置部１６に載置された原稿Ｄを検出可能な載置検出部３１と、給送部１８により給送された原稿Ｄを検出可能な給送検出部３２とを備えている。さらに、画像読取装置１１は、搬送路１７を搬送方向Ｙの上流側から下流側に向かって搬送される原稿Ｄを検出可能な搬送検出部３３と、給送部１８などの画像読取装置１１における各機構の駆動を統括的に制御する制御部３５とを備えている。
【００２８】
給送検出部３２は、光を放つ発光部３７と、発光部３７から放たれた光を受ける受光部３８とを有する光学式センサーである。そして、発光部３７と受光部３８は、搬送路１７を挟んで対向する位置に配置されている。
【００２９】
搬送検出部３３は、給送検出部３２よりも搬送方向Ｙの下流側の位置であり、搬送方向Ｙにおいて搬送ローラー２２と略同じ位置に設けられている。また、載置検出部３１と搬送検出部３３は、原稿Ｄと接触する例えばレバーなどの接触部３１ａ，３３ａを有する接触式のセンサーであり、接触部３１ａ，３３ａが原稿Ｄに押されて変位することで原稿Ｄの有無を検出する。
【００３０】
図２に示すように、載置部１６には、載置された原稿Ｄの搬送方向Ｙと交差する幅方向Ｘの両端をガイドする一対のガイド部４０が設けられている。また、図２では、載置部１６及び搬送路１７の幅方向Ｘにおける中央位置を、搬送方向Ｙに沿う中央線Ｌ１として一点鎖線で示している。そして、一対のガイド部４０は、幅方向Ｘにおいて中央線Ｌ１からのそれぞれの距離が等しくなるように互いに近づく、もしくは互いに離れるように幅方向Ｘにスライド可能に設けられている。さらに、載置検出部３１は、幅方向Ｘにおいて載置部１６の中央に設けられていると共に、搬送検出部３３は、幅方向Ｘにおいて搬送路１７の中央に設けられている。
【００３１】
給送検出部３２は、幅方向Ｘにおいて搬送路１７の中央とは異なる位置に設けられている。すなわち、給送検出部３２と搬送検出部３３は、幅方向Ｘにおいて異なる位置に設けられている。具体的には、給送検出部３２は、幅方向Ｘにおいて中央線Ｌ１からの間隔Ａが３５ｍｍ以上且つ４０ｍｍ以下の位置に設けられている。なお、間隔Ａは、中央線Ｌ１と給送検出部３２の検出領域Ｂの中心との間隔であり、所謂バイブルサイズの原稿Ｄに合わせて３５ｍｍ以上且つ４０ｍｍ以下であるのが好ましく、３７ｍｍ以上且つ４０ｍｍ以下であるのがより好ましい。なお、検出領域Ｂとは、搬送路１７上の領域であり、発光部３７は、検出領域Ｂに向けて光を照射し、受光部３８は検出領域Ｂを通った光を受光する。
【００３２】
次にバイブルサイズの原稿Ｄについて説明する。
図３に示すように、バイブルサイズの原稿Ｄとは、Ｂ６サイズのシステム手帳に対応したリフィルと呼ばれる交換や補充用の原稿Ｄである。この原稿Ｄの大きさは、幅Ｗが９５ｍｍ、高さＨが１７０ｍｍ〜１７５ｍｍの長方形とされることが多い。さらに、原稿Ｄには、長辺に沿って複数（例えば６つ）の穴４１が形成されていることがある。そして、穴４１の直径Φは５ｍｍ〜７ｍｍ、原稿Ｄの端（長辺）から穴４１までの寸法Ｗ１は６ｍｍ〜７ｍｍとされることが多い。
【００３３】
また、図３では、原稿Ｄの中心線Ｌ２を一点鎖線で図示している。この中心線Ｌ２は、長辺と平行な線であり、短辺の中心を通る線である。そして、原稿Ｄは、原稿Ｄの中心線Ｌ２と画像読取装置１１の中央線Ｌ１とを合わせるように、もしくは中心線Ｌ２と中央線Ｌ１とが略直交するように載置部１６に載置されて給送及び搬送される。なお、中心線Ｌ２と中央線Ｌ１とを略直交させる場合には、原稿Ｄは、穴４１が中心線Ｌ２よりも搬送方向Ｙの下流側に位置するように載置されて搬送されるものとする。
【００３４】
そして、穴４１の直径Φ及び寸法Ｗ１は、原稿Ｄごとに形式が定められているが、図４及び図５では、説明を簡略化するために異なる形式の穴４１が形成された原稿Ｄを図示している。
【００３５】
さて、図４に示すように、給送検出部３２は、中央線Ｌ１との間隔Ａを３５ｍｍ以上且つ４０ｍｍ以下の位置に設けることにより、搬送される原稿Ｄの穴４１の少なくとも一部が給送検出部３２と重なり、給送検出部３２により穴４１を検出できる。
【００３６】
すなわち、直径Φが７ｍｍの場合には、穴４１は、中心線Ｌ２から３３．５ｍｍ以上且つ４１．５ｍｍ以下の範囲に位置する。そのため、間隔Ａは、最大径の穴４１が形成され得る範囲よりも検出領域Ｂの半径（本実施形態では１．５ｍｍ）分だけ内側の範囲である３５ｍｍ以上且つ４０ｍｍ以下とすることで、直径Φが７ｍｍの穴４１と給送検出部３２とを重ねることができる。また、穴４１の直径Φが５ｍｍの場合には、穴４１の少なくとも一部と給送検出部３２とを重ねることができる。
【００３７】
そして、図５に示すように、直径Φが５ｍｍの穴４１は、中心線Ｌ２から３５．５ｍｍ以上且つ４１．５ｍｍ以下の範囲に位置する。そのため、間隔Ａは、最小径の穴４１が形成され得る範囲よりも検出領域Ｂの半径分だけ内側の範囲である３７ｍｍ以上且つ４０ｍｍ以下とすることで、給送検出部３２による穴４１の検出精度を向上できる。
【００３８】
次に画像読取装置１１の電気的構成について説明する。
図６に示すように、制御部３５は、載置検出部３１、給送検出部３２、及び搬送検出部３３の検出結果に基づいて読取部２４、給送モーター２８、及び搬送モーター２９の駆動を制御する。
【００３９】
次に、給送検出部３２と搬送検出部３３が原稿Ｄを検出する検出方法について説明する。
図７に示すように、給送検出部３２は、受光部３８が受光した受光量に応じて原稿Ｄの有無を検出し、原稿Ｄを検出した検出信号Ｓ１と原稿Ｄを検出しない非検出信号Ｓ２とを出力する。具体的には、給送検出部３２は、受光量が閾値Ｔよりも多い場合には非検出信号Ｓ２を出力し、原稿Ｄにより光が遮られて受光量が閾値Ｔよりも少ない場合は検出信号Ｓ１を出力する。
【００４０】
また、搬送検出部３３は、接触部３１ａの変位に応じて原稿Ｄの有無を検出し、給送検出部３２と同様に原稿Ｄを検出した検出信号Ｓ１と原稿Ｄを検出しない非検出信号Ｓ２とを出力する。
【００４１】
したがって、給送検出部３２と搬送検出部３３は、原稿Ｄが給送される前は非検出信号Ｓ２を出力し、原稿Ｄの先端が通過するタイミングで出力する信号が検出信号Ｓ１に切り替わる。そして、給送検出部３２と搬送検出部３３は、穴４１が通過するタイミングで一時的に非検出信号Ｓ２を出力する。
【００４２】
次に、図８に示すフローチャートを参照し、画像読取装置１１における給送方法を画像読取処理ルーチンに基づいて説明する。なお、この画像読取処理ルーチンは、画像を読み取るジョブが開始されたタイミングで実行される。
【００４３】
図８に示すように、制御部３５は、ステップＳ１０１において給送モーター２８と搬送モーター２９とを駆動し、給送部１８により原稿Ｄを給送させる（第１給送工程）。そして、ステップＳ１０２において、制御部３５は、給送検出部３２が原稿Ｄの先端を検出したか否かを判断する。すなわち、給送検出部３２から非検出信号Ｓ２が出力され、給送検出部３２が原稿Ｄを検出していない場合には（ステップＳ１０２：ＮＯ）、制御部３５は、原稿Ｄが給送検出部３２まで給送されていないと判断し、原稿Ｄが給送されるまで待機する。
【００４４】
そして、制御部３５は、給送検出部３２から出力された検出信号Ｓ１を取得すると（給送信号取得工程）、原稿Ｄの先端が給送検出部３２まで搬送されたと判断し（ステップＳ１０２：ＹＥＳ）、その処理をステップＳ１０３に移行する。
【００４５】
ステップＳ１０３において、制御部３５は、給送検出部３２が原稿Ｄに形成された穴４１を検出したか否かを判断する。すなわち、制御部３５は、給送検出部３２から出力される信号が検出信号Ｓ１から非検出信号Ｓ２に切り替わると、穴４１を検出したと判断し（ステップＳ１０３：ＹＥＳ）、ステップＳ１０４において、非検出信号Ｓ２が出力された出力回数をカウントアップする。そして、制御部３５は、給送検出部３２から非検出信号Ｓ２が出力されない場合には、穴４１を検出していないと判断し（ステップＳ１０３：ＮＯ）、ステップＳ１０５において、制御部３５は、搬送検出部３３が原稿Ｄの先端を検出したか否かを判断する。
【００４６】
すなわち、搬送検出部３３から非検出信号Ｓ２が出力され、搬送検出部３３が原稿Ｄを検出していない場合には（ステップＳ１０５：ＮＯ）、制御部３５は、原稿Ｄが搬送検出部３３まで搬送されていないと判断し、その処理をステップＳ１０３に移行する。そして、制御部３５は、搬送検出部３３から出力された検出信号Ｓ１を取得すると（搬送信号取得工程）、原稿Ｄの先端が搬送検出部３３まで搬送されたと判断する（ステップＳ１０５：ＹＥＳ）。
【００４７】
ステップＳ１０６において、制御部３５は、給送モーター２８を停止させ、さらにステップＳ１０７において、読取部２４に画像の読取を開始させる。続くステップＳ１０８において、制御部３５は、ステップＳ１０４においてカウントアップしていた出力回数が２回以上であるか否かを判断する。
【００４８】
なお、この出力回数とは、ステップＳ１０２において給送検出部３２から出力された検出信号Ｓ１を取得してから、ステップＳ１０５において搬送検出部３３から出力された検出信号Ｓ１を取得するまでの間に給送検出部３２から非検出信号Ｓ２が出力された回数である。
【００４９】
そして、出力回数が１回以下である場合には（ステップＳ１０８：ＮＯ）、制御部３５は、その処理をステップＳ１０９に移行する。また、出力回数が２回以上である場合には（ステップＳ１０８：ＹＥＳ）、制御部３５は、その処理をステップＳ１１０に移行する。
【００５０】
ステップＳ１０９において、制御部３５は、給送検出部３２が原稿Ｄの後端を検出したか否かを判断する。すなわち、給送検出部３２から検出信号Ｓ１が出力され、給送検出部３２が原稿Ｄを検出している場合には、制御部３５は、原稿Ｄが給送検出部３２を通過していないと判断して待機する（ステップＳ１０９：ＮＯ）。そして、給送検出部３２から非検出信号Ｓ２が出力されると、制御部３５は、給送検出部３２が原稿Ｄの後端を検出したと判断し（ステップＳ１０９：ＹＥＳ）、その処理をステップＳ１１１に移行する。
【００５１】
また、ステップＳ１１０において、制御部３５は、搬送検出部３３が原稿Ｄの後端を検出したか否かを判断する。すなわち、搬送検出部３３から検出信号Ｓ１が出力され、搬送検出部３３が原稿Ｄを検出している場合には、制御部３５は、原稿Ｄが搬送検出部３３を通過していないと判断して待機する（ステップＳ１１０：ＮＯ）。そして、搬送検出部３３から非検出信号Ｓ２が出力されると、制御部３５は搬送検出部３３が原稿Ｄの後端を検出したと判断し（ステップＳ１１０：ＹＥＳ）、その処理をステップＳ１１１に移行する。
【００５２】
ステップＳ１１１において、制御部３５は、載置検出部３１の検出結果に基づいて、載置部１６に次の原稿Ｄが載置されているか否かを判断する。そして、原稿Ｄが載置部１６に載置されている場合には（ステップＳ１１１：ＮＯ）、その処理をステップＳ１０１に移行し、給送部１８により次の原稿Ｄを給送させる（第２給送工程）。
【００５３】
すなわち、ステップＳ１０８において出力回数が１回以下の場合には、ステップＳ１０５において搬送検出部３３から検出信号Ｓ１が出力されたあと給送検出部３２から非検出信号Ｓ２が出力されると、制御部３５は、ステップＳ１０１において次の原稿Ｄを給送させる。また、ステップＳ１０８において出力回数が２回以上の場合には、搬送検出部３３から非検出信号Ｓ２が出力されると、制御部３５は、ステップＳ１０１において次の原稿Ｄを給送させる。
【００５４】
そして、次の原稿Ｄが載置部１６に載置されていない場合には（ステップＳ１１１：ＹＥＳ）、ステップＳ１１２において、制御部３５は、原稿Ｄの後端が読取部２４を通過したか否かを判断する。すなわち、制御部３５は、例えば搬送検出部３３が非検出信号Ｓ２を出力してから所定時間が経過していない場合には、原稿Ｄの後端が読取部２４を通過していないと判断して待機する（ステップＳ１１２：ＮＯ）。そして、搬送検出部３３が非検出信号Ｓ２を出力してから所定時間が経過した場合には、制御部３５は、原稿Ｄの後端が読取部２４を通過したと判断する（ステップＳ１１２：ＹＥＳ）。
【００５５】
そして、制御部３５は、ステップＳ１１３において、読取部２４による画像の読取を終了させ、ステップＳ１１４において搬送モーター２９を停止させて画像読取処理ルーチンを終了する。
【００５６】
次に画像読取装置１１の作用について説明する。
さて、画像読取装置１１にジョブが入力されると、制御部３５は、給送モーター２８と搬送モーター２９を駆動し、原稿Ｄを給送及び搬送する。
【００５７】
そして、搬送検出部３３が原稿Ｄの先端を検出すると、制御部３５は、給送モーター２８を停止させる。すなわち、搬送モーター２９は駆動されているため、搬送ローラー２２は回転して原稿Ｄを搬送し、給送ローラー１９は、搬送ローラー２２によって搬送される原稿Ｄに連れ回りする。一方、摩擦力付与部２０は、逆転回転して原稿Ｄに対して摩擦力を与え続ける。そして、読取部２４は、原稿Ｄが通過するタイミングで原稿Ｄの画像を読み取る。
【００５８】
さて、制御部３５は、給送検出部３２が原稿Ｄの先端を検出してから搬送検出部３３が原稿Ｄの先端を検出するまでの間に、給送検出部３２が検出した穴４１の数に応じて給送部１８の駆動を制御する。換言すると、制御部３５は、給送検出部３２が検出信号Ｓ１を出力してから搬送検出部３３が検出信号Ｓ１を出力するまでの間に、給送検出部３２が非検出信号Ｓ２を出力した出力回数に基づいて給送部１８の駆動を制御する。
【００５９】
すなわち、画像読取装置１１の中央線Ｌ１に対して原稿Ｄの中心線Ｌ２が略直交した状態で原稿Ｄが搬送される場合や、穴４１が形成されていない原稿Ｄが搬送される場合には、非検出信号Ｓ２の出力回数が１回以下となる。この場合には、制御部３５は、給送検出部３２が原稿Ｄの後端を検出したことをトリガーとして給送モーター２８を駆動する。すなわち、制御部３５は、搬送検出部３３が検出信号Ｓ１を出力したあと給送検出部３２が非検出信号Ｓ２を出力すると給送部１８を駆動する。
【００６０】
また、バイブルサイズの原稿Ｄを中央線Ｌ１と中心線Ｌ２とが一致するように給送した場合は、非検出信号Ｓ２の出力回数が２回以上となる。この場合には、制御部３５は、搬送検出部３３が原稿Ｄの後端を検出したことをトリガーとして給送モーター２８を駆動する。すなわち、制御部３５は、搬送検出部３３が非検出信号Ｓ２を出力すると給送部１８を駆動する。
【００６１】
上記実施形態によれば、以下のような効果を得ることができる。
（１）原稿Ｄには、例えばルーズリーフや手帳のリフィルのように、複数の穴４１が列をなして形成されているものがある。そして、穴４１が給送検出部３２を通過すると、給送検出部３２からは原稿Ｄを検出しない非検出信号Ｓ２が出力される。そのため、例えば穴４１の列と搬送方向Ｙとを一致させて給送する場合には、給送検出部３２は非検出信号Ｓ２を２回以上出力する可能性がある。また、例えば穴４１の列と搬送方向Ｙとを直交させて原稿Ｄを給送する場合には、給送検出部３２が出力する非検出信号Ｓ２は１回以下となる。そして、制御部３５は、非検出信号Ｓ２の出力回数に基づいて給送部１８の駆動を制御する。すなわち、給送検出部３２が非検出信号Ｓ２を複数回出力し、原稿Ｄに形成された穴４１を原稿Ｄの後端だと誤検出する可能性が高い場合には、制御部３５は、搬送検出部３３が非検出信号Ｓ２を出力すると給送部１８を駆動する。そのため、原稿Ｄが重なった状態で給送される虞を低減できる。
【００６２】
（２）原稿Ｄの穴４１は、原稿Ｄの縁に形成されることが多い。そして、給送検出部３２は幅方向Ｘにおいて中央とは異なる位置に設けられているため、給送検出部３２を幅方向Ｘの中央に設ける場合に比べ、給送検出部３２が原稿Ｄの穴４１を検出する確率を高めることができる。
【００６３】
（３）発光部３７と受光部３８とを有する給送検出部３２と、接触部３１ａを有する搬送検出部３３は、それぞれ異なる方式で原稿Ｄを検出する。そのため、給送検出部３２と搬送検出部３３の双方の検出部が、原稿Ｄに形成された穴４１を原稿Ｄの後端だと誤検出してしまう虞を低減できる。
【００６４】
（４）給送検出部３２と搬送検出部３３は、幅方向Ｘにおいて異なる位置に設けられる。そのため、穴４１の列と搬送方向Ｙとを一致させて原稿Ｄを給送し、給送検出部３２が複数の穴４１を検出した場合には、搬送検出部３３は穴４１を検出しない。したがって、搬送検出部３３の検出結果に基づいて次の原稿Ｄを給送することで、原稿Ｄが重なった状態で給送される虞を低減できる。
【００６５】
（５）所謂バイブルサイズの原稿Ｄには、リングに通すための穴４１が長辺に沿って形成されている場合がある。そして、給送検出部３２は、バイブルサイズの原稿Ｄに形成された穴４１が通過する位置に設けられているため、給送検出部３２によって原稿Ｄに形成された穴４１を検出できる。
【００６６】
（６）給送検出部３２が出力した非検出信号Ｓ２の出力回数が１回以下であって、原稿Ｄの穴４１を原稿Ｄの後端だと誤検出する可能性が低い場合には、制御部３５は、給送検出部３２が非検出信号Ｓ２を出力すると給送部１８を駆動する。すなわち、先の原稿Ｄの給送が終了してから次の原稿Ｄの給送を開始するまでの間隔を短くできるため、スループットを向上できる。
【００６７】
なお、上記実施形態は以下のように変更してもよい。
・上記実施形態において、画像読取装置１１は、原稿Ｄを挟んだキャリアシートを給送して原稿Ｄの画像を読み取ってもよい。なお、キャリアシートとは、２枚の透明なシートの一端が貼り合わされて形成されたものであり、規格外の大きさの原稿Ｄを２つ折にして読み取る場合などに用いられる。ところで、キャリアシートは透明なシートであるため、給送検出部３２に光学式センサーを用いる場合には、キャリアシートの後端を給送検出部３２で検出することができない。そのため、キャリアシートを用いて原稿Ｄの画像を読み取る場合には、搬送検出部３３がキャリアシートの後端を検出した場合に、給送部１８に次の原稿Ｄを給送させてもよい。なお、読取対象が原稿Ｄであるか、キャリアシートに挟まれた原稿Ｄであるかは、ユーザーが入力部（図示略）から入力してもよい。また、キャリアシートに被検出部を設けておき、給送検出部３２にキャリアシートの被検出部を検出させてもよい。
【００６８】
・上記実施形態において、摩擦力付与部２０は、給送ローラー１９と共に原稿Ｄを挟持して原稿Ｄ同士を分離する分離パッドとしてもよい。
・上記実施形態において、原稿Ｄの幅Ｗが中央線Ｌ１と給送検出部３２との間隔Ａの２倍の大きさよりも小さい場合には、搬送検出部３３が原稿Ｄの後端を検出すると、給送部１８に次の原稿Ｄを給送させてもよい。
【００６９】
・上記実施形態において、出力回数が２回以上の場合には、制御部３５は、バイブルサイズの原稿Ｄに合わせて設定された処理を実行してもよい。なお、この処理は、一対の読取部２４が読み取った原稿Ｄの表面と裏面の画像を結合する結合処理や、文字情報を取得する処理など、任意に設定可能である。
【００７０】
・上記実施形態において、載置検出部３１、搬送検出部３３、給送検出部３２は、接触式、非接触式など任意の検出部としてもよい。例えば給送検出部３２をレバーを有する接触式のセンサーとしてもよい。また、例えば搬送検出部３３を光学式のセンサーとしてもよい。さらに、給送検出部３２と搬送検出部３３を画像処理により原稿Ｄを検出するイメージセンサーや、超音波の減衰度合いに応じて原稿Ｄを検出する超音波式のセンサーとしてもよい。
【００７１】
・上記実施形態において、排出ローラー２５及び排出従動ローラー２６を設けない構成としてもよい。
・上記実施形態において、搬送部２１を備えない構成としてもよい。すなわち、給送部１８により給送された原稿Ｄは、給送ローラー１９により排出ローラー２５まで搬送された後、排出ローラー２５により搬送及び排出されてもよい。
【００７２】
・上記実施形態において、給送検出部３２は、幅方向Ｘにおいて中央線Ｌ１から３５ｍｍ未満の位置に設けてもよい。また、給送検出部３２は、幅方向Ｘにおいて中央線Ｌ１から４０ｍｍよりも離れた位置に設けてもよい。
【００７３】
・上記実施形態において、給送検出部３２と搬送検出部３３は、幅方向Ｘにおいて同じ位置に設けてもよい。また、給送検出部３２は、搬送路１７における幅方向Ｘの中央位置に設けてもよい。
【００７４】
・上記実施形態において、画像読取装置１１は、シートフィード型に限らず、原稿Ｄを自動で給送する自動原稿給送装置（オートシートフィーダー）を備えたフラットベッド型の画像読取装置としてもよい。また、画像読取装置１１は、印刷装置と一体に構成された複合機や、通信機能を備えるＦＡＸなどに適用してもよい。
【符号の説明】
【００７５】
Ａ…間隔、Ｂ…検出領域、Ｄ…原稿、Ｈ…高さ、Ｓ１…検出信号、Ｓ２…非検出信号、Ｌ１…中央線、Ｌ２…中心線、Ｔ…閾値、Ｗ…幅、Ｘ…幅方向、Ｙ…搬送方向、Φ…直径、１１…画像読取装置、１２…本体部、１３…軸、１４…回動部、１６…載置部、１７…搬送路、１８…給送部、１９…給送ローラー、２０…摩擦力付与部、２１…搬送部、２２…搬送ローラー、２３…搬送従動ローラー、２４…読取部、２５…排出ローラー、２６…排出従動ローラー、２７…排出部、２８…給送モーター、２９…搬送モーター、３１…載置検出部、３１ａ…接触部、３２…給送検出部、３３…搬送検出部、３３ａ…接触部、３５…制御部、３７…発光部、３８…受光部、４０…ガイド部、４１…穴。
【図１】
2018006854.tif 000003
【図２】
2018006854.tif 000004
【図３】
2018006854.tif 000005
【図４】
2018006854.tif 000006
【図５】
2018006854.tif 000007
【図６】
2018006854.tif 000008
【図７】
2018006854.tif 000009
【図８】
2018006854.tif 000010